(57)【特許請求の範囲】
【請求項１】
所定の間隔で立設された複数の支柱に直交すると共に、水平方向に延びるように設けられ、パレットを支持する腕木に取り付けられるパレット落下防止用ストッパー体であって、
複数の貫通孔を有し、前記腕木に支持された前記パレットの前面への移動をパレットに当接して阻止するストッパー部を有する本体と、
この本体に取り付けられ、前記腕木に向かうように設けられ、前記腕木に当接する長手形状の当接部材と、
前記本体に取り付けられた支柱当接部材と、
前記腕木に係止すると共に、両端部が前記複数の貫通孔を通る係止部材と、
前記両端部が前記複数の貫通孔を通った前記係止部材を前記本体に結合させる結合手段とを備え、
前記腕木は、正面視、前面に位置する前側支柱の後方に位置し、
前記支柱当接部材の先端面が前記支柱に当接し、
前記係止部材は、第１の直線部と、この第１の直線部に平行な第２の直線部と、この第２の直線部と前記第１の直線部を接続する接続部とを有し、
前記長手形状の当接部材の先端面が前記腕木に当接し、
平面視、前記第１の直線部、前記第２の直線部、前記長手形状の当接部材が重なっている
ことを特徴とするパレット落下防止用ストッパー体。
【請求項２】
所定の間隔で立設された複数の支柱に直交すると共に、水平方向に延びるように設けられ、パレットを支持する複数の腕木に取り付けられるパレット落下防止用ストッパー体であって、
複数の貫通孔を有し、前側腕木及び後側腕木に支持された前記パレットの前面への移動をパレットに当接して阻止するストッパー部を有する本体と、
この本体に取り付けられ、前記前側腕木に向かうように設けられ、前記前側腕木に当接する長手形状の当接部材と、
前記前側腕木に係止すると共に、両端部が前記複数の貫通孔を通る係止部材と、
前記両端部が前記複数の貫通孔を通った前記係止部材を前記本体に結合させる結合手段と、
前記本体に取り付けられ、前記後側腕木を超えて設けられると共に、前記パレットの側方への移動を前記パレットに当接して阻止する側方ストッパー部と、
この側方ストッパー部の前記後側腕木を超えた部位に取り付けられ、前記ストッパー部と対向し、前記パレットの背面への移動をパレットに当接して阻止する背面ストッパー部とを備え、
前記複数の支柱の内、パレット受け入れ側に位置するのは、前側支柱であり、
前記複数の支柱の内、前記前側支柱の後方に位置するのは、後側支柱であり、
前記前側支柱に直交すると共に、水平方向に延びるように設けられ、パレットを支持するのは、前記前側腕木であり、
前記後側支柱に直交すると共に、水平方向に延びるように設けられ、前記パレットを支持するのは、前記後側腕木であり、
前記前側腕木は、正面視、前面に位置する前記前側支柱の後方に位置し、
前記長手形状の当接部材の先端面が前記前側腕木に当接する
ことを特徴とするパレット落下防止用ストッパー体。
【請求項３】
所定の間隔で立設された複数の支柱に直交すると共に、水平方向に延びるように設けられ、パレットを支持する複数の腕木に取り付けられるパレット落下防止用ストッパー体であって、
複数の貫通孔を有し、前側腕木及び後側腕木に支持された前記パレットの前面への移動をパレットに当接して阻止するストッパー部を有する本体と、
この本体に取り付けられ、前記前側腕木に向かうように設けられ、前記前側腕木に当接する長手形状の当接部材と、
前記前側腕木に係止すると共に、両端部が前記複数の貫通孔を通る係止部材と、
前記両端部が前記複数の貫通孔を通った前記係止部材を前記本体に結合させる結合手段と、
前記本体に取り付けられ、前記後側腕木を超えて設けられると共に、前記パレットの側方への移動を前記パレットに当接して阻止する側方ストッパー部とを備え、
前記複数の支柱の内、パレット受け入れ側に位置するのは、前側支柱であり、
前記複数の支柱の内、前記前側支柱の後方に位置するのは、後側支柱であり、
前記前側支柱に直交すると共に、水平方向に延びるように設けられ、パレットを支持するのは、前記前側腕木であり、
前記後側支柱に直交すると共に、水平方向に延びるように設けられ、前記パレットを支持するのは、前記後側腕木であり、
前記前側腕木は、正面視、前面に位置する前記前側支柱の後方に位置し、
前記長手形状の当接部材の先端面が前記前側腕木に当接する
ことを特徴とするパレット落下防止用ストッパー体。
【請求項４】
複数の支柱は、パレット受け入れ側に位置する前側支柱と、前記前側支柱の後方に位置する後側支柱とを有し、
腕木は、前側支柱に直交すると共に、水平方向に延びるように設けられ、パレットを支持する前側腕木と、前記後側支柱に直交すると共に、水平方向に延びるように設けられ、前記パレットを支持する後側腕木とを有し、
本体には、前記前側支柱に当接する前側支柱当接部材を有し、
係止部材と当接部材とにより前記前側腕木を挟持状態時、前記前側支柱当接部材が前記前側支柱に当接している
ことを特徴とする請求項１〜３のいずれかに記載のパレット落下防止用ストッパー体。
【請求項５】
側方ストッパー部の下面に後側腕木に係脱可能に装着される後側腕木位置決め用の後側腕木位置決め用脚部を備え、この後側腕木位置決め用脚部は、後側腕木の長手方向に互いに平行な面で形成されている
ことを特徴とする請求項２記載のパレット落下防止用ストッパー体。
【請求項６】
側方ストッパー部は傾斜面を有し、該傾斜面は前側腕木と後側腕木に支持されたパレットに近づくように傾斜している
ことを特徴とする請求項２又は請求項３記載のパレット落下防止用ストッパー体。
【請求項７】
所定の間隔で立設された複数の支柱に直交すると共に、水平方向に延びるように設けられ、パレットを支持する腕木に取り付けられるパレット落下防止用ストッパー体であって、
複数の貫通孔を有し、前記腕木に支持された前記パレットの前面への移動をパレットに当接して阻止するストッパー部を有する本体と、
この本体に取り付けられ、前記腕木に向かうように設けられ、前記腕木に当接する長手形状の当接部材と、
前記腕木に係止すると共に、両端部が前記複数の貫通孔を通る係止部材と、
前記両端部が前記複数の貫通孔を通った前記係止部材を前記本体に結合させる結合手段とを備え、
前記腕木は、正面視、前面に位置する前側支柱の後方に位置し、
前記複数の貫通孔は、第１の貫通孔と第２の貫通孔であり、
前記長手形状の当接部材の前記本体の取付位置は、前記第１の貫通孔と前記第２の貫通孔との間であり、
前記係止部材は、第１の直線部と、この第１の直線部に平行な第２の直線部と、この第２の直線部と前記第１の直線部を接続する接続部とを有し、
前記長手形状の当接部材の先端面が前記腕木に当接し、
平面視、前記第１の直線部、前記第２の直線部、前記長手形状の当接部材が重なっている
ことを特徴とするパレット落下防止用ストッパー体。
【発明の詳細な説明】
【技術分野】
【０００１】
本発明は、パレット落下防止用ストッパー体に係り、特に、パレットを支持する腕木に取り付けることができるパレット落下防止用ストッパー体に関する。
【背景技術】
【０００２】
本件発明者は、先に、支柱に取り付けることができるパレット落下防止用ストッパー体（例えば、特許文献参照）を開示した。
【先行技術文献】
【特許文献】
【０００３】
【特許文献１】特許第４００１２８９号公報
【発明の概要】
【発明が解決しようとする課題】
【０００４】
しかしながら、筋交い（ブレース）等の位置により、パレット落下防止用ストッパー体を支柱に取り付けられない場合がある。
【０００５】
本発明は、上記事情を考慮したなされたパレット落下防止用ストッパー体を提供することを目的とする。
【課題を解決するための手段】
【０００６】
請求項１記載のパレット落下防止用ストッパー体は、所定の間隔で立設された複数の支柱に直交すると共に、水平方向に延びるように設けられ、パレットを支持する腕木に取り付けられるパレット落下防止用ストッパー体であって、複数の貫通孔を有し、前記腕木に支持された前記パレットの前面への移動をパレットに当接して阻止するストッパー部を有する本体と、この本体に取り付けられ、前記腕木に向かうように設けられ、前記腕木に当接する長手形状の当接部材と、前記本体に取り付けられた支柱当接部材と、前記腕木に係止すると共に、両端部が前記複数の貫通孔を通る係止部材と、前記両端部が前記複数の貫通孔を通った前記係止部材を前記本体に結合させる結合手段とを備え、前記腕木は、正面視、前面に位置する前側支柱の後方に位置し、前記支柱当接部材の先端面が前記支柱に当接し、前記係止部材は、第１の直線部と、この第１の直線部に平行な第２の直線部と、この第２の直線部と前記第１の直線部を接続する接続部とを有し、前記長手形状の当接部材の先端面が前記腕木に当接し、平面視、前記第１の直線部、前記第２の直線部、前記長手形状の当接部材が重なっているものである。
【０００７】
また、請求項２記載のパレット落下防止用ストッパー体は、所定の間隔で立設された複数の支柱に直交すると共に、水平方向に延びるように設けられ、パレットを支持する複数の腕木に取り付けられるパレット落下防止用ストッパー体であって、複数の貫通孔を有し、前側腕木及び後側腕木に支持された前記パレットの前面への移動をパレットに当接して阻止するストッパー部を有する本体と、この本体に取り付けられ、前記前側腕木に向かうように設けられ、前記前側腕木に当接する長手形状の当接部材と、前記前側腕木に係止すると共に、両端部が前記複数の貫通孔を通る係止部材と、前記両端部が前記複数の貫通孔を通った前記係止部材を前記本体に結合させる結合手段と、前記本体に取り付けられ、前記後側腕木を超えて設けられると共に、前記パレットの側方への移動を前記パレットに当接して阻止する側方ストッパー部と、この側方ストッパー部の前記後側腕木を超えた部位に取り付けられ、前記ストッパー部と対向し、前記パレットの背面への移動をパレットに当接して阻止する背面ストッパー部とを備え、前記複数の支柱の内、パレット受け入れ側に位置するのは、前側支柱であり、前記複数の支柱の内、前記前側支柱の後方に位置するのは、後側支柱であり、前記前側支柱に直交すると共に、水平方向に延びるように設けられ、パレットを支持するのは、前記前側腕木であり、前記後側支柱に直交すると共に、水平方向に延びるように設けられ、前記パレットを支持するのは、前記後側腕木であり、前記前側腕木は、正面視、前面に位置する前記前側支柱の後方に位置し、前記長手形状の当接部材の先端面が前記前側腕木に当接するものである。
【０００８】
また、請求項３記載のパレット落下防止用ストッパー体は、所定の間隔で立設された複数の支柱に直交すると共に、水平方向に延びるように設けられ、パレットを支持する複数の腕木に取り付けられるパレット落下防止用ストッパー体であって、複数の貫通孔を有し、前側腕木及び後側腕木に支持された前記パレットの前面への移動をパレットに当接して阻止するストッパー部を有する本体と、この本体に取り付けられ、前記前側腕木に向かうように設けられ、前記前側腕木に当接する長手形状の当接部材と、前記前側腕木に係止すると共に、両端部が前記複数の貫通孔を通る係止部材と、前記両端部が前記複数の貫通孔を通った前記係止部材を前記本体に結合させる結合手段と、前記本体に取り付けられ、前記後側腕木を超えて設けられると共に、前記パレットの側方への移動を前記パレットに当接して阻止する側方ストッパー部とを備え、前記複数の支柱の内、パレット受け入れ側に位置するのは、前側支柱であり、前記複数の支柱の内、前記前側支柱の後方に位置するのは、後側支柱であり、前記前側支柱に直交すると共に、水平方向に延びるように設けられ、パレットを支持するのは、前記前側腕木であり、前記後側支柱に直交すると共に、水平方向に延びるように設けられ、前記パレットを支持するのは、前記後側腕木であり、前記前側腕木は、正面視、前面に位置する前記前側支柱の後方に位置し、前記長手形状の当接部材の先端面が前記前側腕木に当接するものである。
【０００９】
また、請求項４記載のパレット落下防止用ストッパー体は、請求項１〜３のいずれかに記載のパレット落下防止用ストッパー体において、複数の支柱は、パレット受け入れ側に位置する前側支柱と、前記前側支柱の後方に位置する後側支柱とを有し、腕木は、前側支柱に直交すると共に、水平方向に延びるように設けられ、パレットを支持する前側腕木と、前記後側支柱に直交すると共に、水平方向に延びるように設けられ、前記パレットを支持する後側腕木とを有し、本体には、前記前側支柱に当接する前側支柱当接部材を有し、係止部材と当接部材とにより前記前側腕木を挟持状態時、前記前側支柱当接部材が前記前側支柱に当接しているものである。
【００１０】
また、請求項５記載のパレット落下防止用ストッパー体は、請求項２記載のパレット落下防止用ストッパー体において、側方ストッパー部の下面に後側腕木に係脱可能に装着される後側腕木位置決め用の後側腕木位置決め用脚部を備え、この後側腕木位置決め用脚部は、後側腕木の長手方向に互いに平行な面で形成されているものである。
【００１１】
また、請求項６記載のパレット落下防止用ストッパー体は、請求項２又は請求項３記
載のパレット落下防止用ストッパー体において、側方ストッパー部は傾斜面を有し、該傾
斜面は前側腕木と後側腕木に支持されたパレットに近づくように傾斜しているものである
。
また、請求項７記載のパレット落下防止用ストッパー体は、所定の間隔で立設された複数の支柱に直交すると共に、水平方向に延びるように設けられ、パレットを支持する腕木に取り付けられるパレット落下防止用ストッパー体であって、複数の貫通孔を有し、前記腕木に支持された前記パレットの前面への移動をパレットに当接して阻止するストッパー部を有する本体と、この本体に取り付けられ、前記腕木に向かうように設けられ、前記腕木に当接する長手形状の当接部材と、前記腕木に係止すると共に、両端部が前記複数の貫通孔を通る係止部材と、前記両端部が前記複数の貫通孔を通った前記係止部材を前記本体に結合させる結合手段とを備え、前記腕木は、正面視、前面に位置する前側支柱の後方に位置し、前記複数の貫通孔は、第１の貫通孔と第２の貫通孔であり、前記長手形状の当接部材の前記本体の取付位置は、前記第１の貫通孔と前記第２の貫通孔との間であり、前記係止部材は、第１の直線部と、この第１の直線部に平行な第２の直線部と、この第２の直線部と前記第１の直線部を接続する接続部とを有し、前記長手形状の当接部材の先端面が前記腕木に当接し、平面視、前記第１の直線部、前記第２の直線部、前記長手形状の当接部材が重なっているものである。
【発明の効果】
【００１２】
請求項１記載のパレット落下防止用ストッパー体によれば、パレット落下防止用ストッパー体を筋交いの位置により支柱に取り付けられない場合、係止部材と当接部材で腕木を挟持して腕木に取り付けることができ、しかも、平面視、第１の直線部、第２の直線部、長手形状の当接部材が重なっているため、腕木への挟持も強いと共に、パレット落下防止用ストッパー体自体をコンパクトにすることができる等の効果を奏する。
【００１３】
また、請求項２記載のパレット落下防止用ストッパー体によれば、パレット落下防止用ストッパー体を筋交いの位置により支柱に取り付けられない場合、係止部材と当接部材で前側腕木を挟持して前側腕木に取り付けることができ、しかも、１個のパレット落下防止用ストッパー体により、パレットの前面への移動をストッパー部により、パレットの側方への移動を側方ストッパー部により、パレットの背面への移動を背面ストッパー部により、それぞれ阻止することができる。    
【００１４】
また、請求項３記載のパレット落下防止用ストッパー体によれば、パレット落下防止用ストッパー体を筋交いの位置により支柱に取り付けられない場合、係止部材と当接部材で前側腕木を挟持して前側腕木に取り付けることができ、しかも、１個のパレット落下防止用ストッパー体により、パレットの前面への移動をストッパー部により、パレットの側方への移動を側方ストッパー部により、それぞれ阻止することができる。  
【００１５】
また、請求項４記載のパレット落下防止用ストッパー体によれば、上述した請求項１〜請求項３記載の発明の効果に加え、係止部材と当接部材とにより前側腕木の挟持状態時、前側支柱当接部材が前側支柱に当接しているため、挟持状態をより確実に保持することができる。
【００１６】
また、請求項５記載のパレット落下防止用ストッパー体によれば、上述した請求項２記載の発明の効果に加え、側方ストッパー部の下面に後側腕木に係脱可能に装着される後側腕木位置決め用の後側腕木位置決め用脚部を備え、この後側腕木位置決め用脚部は、後側腕木の長手方向に互いに平行な面で形成されているため、前面（パレット受け入れ側）から、パレット落下防止用ストッパー体を後側腕木を容易に装着することができる。
【００１７】
また、請求項６記載のパレット落下防止用ストッパー体によれば、上述した請求項２又は請求項３記載の発明の効果に加え、側方ストッパー部は傾斜面を有し、該傾斜面は前側腕木と後側腕木に支持されたパレットに近づくように傾斜しているため、パレットを前側腕木と後側腕木に設置する際、傾斜面にパレットが当たると、パレットは傾斜面に案内されて、前側腕木と後側腕木にスムーズに設置することができる。
【図面の簡単な説明】
【００１８】
【図１】図１は、本発明の一実施例のパレット落下防止用ストッパー体をラック式倉庫（立体自動倉庫）に取り付けた状態の概略的正面図である。
【図２】図２は、図１のパレット落下防止用ストッパー体の概略的斜視図である。
【図３】図３は、図１の３−３線の概略的断面図である。
【図４】図４は、図１の４−４線の概略的断面図である。
【図５】図５は、図３のパレット落下防止用ストッパー体を腕木に取り付け状態を側面的に見た概略的図である。
【図６】図６は、図１と異なる他の実施例のパレット落下防止用ストッパー体をラック式倉庫（立体自動倉庫）に取り付けた状態の概略的正面図である。
【図７】図７は、図６のパレット落下防止用ストッパー体の概略的斜視図である。
【図８】図８は、図６の一部を平面的に見た概略的平面図である。
【図９】図９は、図６のパレット落下防止用ストッパー体のパレットの前後の移動を阻止する状態を示す概略的図である。
【図１０】図１０は、図６のパレット落下防止用ストッパー体のパレットの側方の移動を阻止する状態を示す概略的図である。
【図１１】図１１は、図６のパレット落下防止用ストッパー体を側面的に見た概略的図である。
【図１２】図１２は、図６のパレット落下防止用ストッパー体の側方ストッパー部の傾斜面の作用を説明するための概略的図である。
【図１３】図１３は、図１２のパレット落下防止用ストッパー体の側方ストッパー部の傾斜面によりパレットが案内された状態の概略的図である。
【図１４】図１４は、図６のパレット落下防止用ストッパー体を腕木に設置される状態を平面的に見た概略的図である。
【図１５】図１５は、図１４を側面的に見た概略的図である。
【図１６】図１６は、図１５のパレット落下防止用ストッパー体にＵ字状部材を取り付ける状態を平面的に見た概略的図である。
【図１７】図１７は、図１６のパレット落下防止用ストッパー体にＵ字状部材を取り付けた状態を側面的に見た概略的図である。
【発明を実施するための形態】
【００１９】
本発明の一実施例のパレット落下防止用ストッパー体を図面（図１乃至図５）を参照して説明する。  
[実施例１（図１乃至図５）]
図１に示すＳはパレット落下防止用ストッパー体で、パレット落下防止用ストッパー体Ｓは、例えば、ラック式倉庫（立体自動倉庫）等に使用され、物品１が搭載されたパレット２が地震で、ラック式倉庫（立体自動倉庫）等から前面Ｆに飛び出して落下しないようにしたものである。
ラック式倉庫（立体自動倉庫）等においては、所定の間隔で立設された複数の支柱３と、この支柱３の垂直方向に沿って所定の間隔で複数設けられ、パレット２を支持する腕木４とを備えている。
【００２０】
パレット落下防止用ストッパー体Ｓは、図２に示すように、本体１０と、当接部材１１と、係止部材１２と、結合手段１３とを備えている。
本体１０は、平板状のプレートに複数の貫通孔１０ａ、１０ａが設けられ、平板状のプレートの一辺より側方に張り出したストッパー部１０ｂを有する。
ストッパー部１０ｂは、図１、図３及び図４に示すように、腕木４に支持されたパレット２の前面Ｆへの移動をパレット２に当接して阻止するものである。
本体１０のストッパー部１０ｂは、ストッパー部１０ｂの上端部を腕木４の上面より上方で且つパレット２の底面より上方に位置するようになっている（図１参照）。
【００２１】
また、当接部材１１は、長手方向に長い長手形状の部材で、本体１０に取り付けられ、図４に示すように、腕木４に向かうように設けられ、腕木４に当接するものである。
なお、当接部材１１は、例えば、溶接により本体１０に取り付けられている。
【００２２】
また、係止部材１２は、腕木４に係止すると共に、両端部１２ｄ、１２ｄが複数の貫通孔１０ａ、１０ａを通るようになっている。
係止部材１２は、第１の直線部１２ａと、この第１の直線部１２ａに平行な第２の直線部１２ｂと、この第２の直線部１２ｂと第１の直線部１２ａを接続する接続部１２ｃとを有したもので、例えば、Ｕ字状部材で形成されている。
なお、望ましくは、平面視、第１の直線部１２ａ、第２の直線部１２ｂ、長手形状の当接部材１２ｃが重なっているのが良い（図３及び図４参照）。
【００２３】
また、結合手段１３は、両端部１２ｄ、１２ｄが複数の貫通孔１０ａ、１０ａを通った係止部材１２を本体１０に結合させるもので、例えば、両端部１２ｄ、１２ｄの近傍に形成した雄ねじ１３ａ、１３ａに螺合するナット１３ｃ、１３ｃで締め付け結合させている。なお、１３ｂ、１３ｂは、ワッシャである。
【００２４】
従って、上述したパレット落下防止用ストッパー体Ｓによれば、パレット落下防止用ストッパー体Ｓを筋交いの位置により支柱に取り付けられない場合、係止部材１２と当接部材１１で腕木４を挟持して腕木４に取り付けることができ、しかも、平面視、第１の直線部１２ａ、第２の直線部１２ｂ、長手形状の当接部材１１が重なっているため（図３及び図４参照）、腕木４への挟持も強いと共に、パレット落下防止用ストッパー体自体Ｓをコンパクトにすることができる等の効果を奏する。
なお、図２に示す１４は本体１０に取り付けられた支柱当接部材（前側支柱当接部材）で、支柱当接部材（前側支柱当接部材）１４は、図３に示すように、係止部材１２と当接部材１１とにより腕木（前側腕木）４の挟持状態時、支柱当接部材（前側支柱当接部材）１４が支柱（前側支柱）３（３’）に当接している。そのため、挟持状態をより確実に保持することができる。
[実施例２（図６乃至図１７）]
上述の実施例１においては、パレット２の前面への移動をストッパー部１０ｂにより阻止することはできるが、パレットの側方への移動、パレットの背面への移動は、阻止することができない。次に述べる実施例２（図６乃至図１７）は、１個のパレット落下防止用ストッパー体Ｓにより、パレット２の前面への移動のみならず、パレット２の側方への移動、パレット２の背面への移動をも阻止することができる。    
【００２５】
即ち、図８、図９、図１４及び図１５に示すように、立設された複数の支柱３の内、パレット受け入れ側に位置する支柱は、前側支柱３’、前側支柱３’の後方に位置する支柱は、後側支柱３”である。
また、４’は、前側支柱３’に直交すると共に、水平方向に延びるように設けられ、パレット２を支持する前側腕木である。
また、４”は、後側支柱３”に直交すると共に、水平方向に延びるように設けられ、パレット２を支持する後側腕木である。
【００２６】
また、本体１０は、上述の実施例１の本体１０と同様、複数の貫通孔１０ａ、１０ａを有し、腕木４に支持されたパレット２の前面（パレット受け入れ側）Ｆへの移動をパレット２に当接して阻止するストッパー部１０ｂを有している。ストッパー部１０ｂは、上述の実施例１と同様、ストッパー部１０ｂの上端部を腕木４の上面より上方で且つパレット２の底面より上方に位置するようになっている（図６参照）。
また、長手形状の当接部材１１は、上述の実施例１の当接部材１１と同様、本体１０に取り付けられ、前側腕木４’に向かうように設けられ、前側腕木４’に当接する（図１５参照）。
【００２７】
また、係止部材１２は、上述の実施例１の係止部材１２と同様、前側腕木４’に係止すると共に、両端部１２ｄ、１２ｄが複数の貫通孔１０ａ、１０ａを通るようになっている。
係止部材１２は、第１の直線部１２ａと、この第１の直線部１２ａに平行な第２の直線部１２ｂと、この第２の直線部１２ｂと第１の直線部１２ａを接続する接続部１２ｃとを有したもので、後述する側方ストッパー部１５と重なるため、接続部１２ｃは、側方ストッパー部１４から遠ざかるように屈曲して、第２の直線部１２ｂと第１の直線部１２ａとに接続されている。
【００２８】
また、結合手段１３は、上述の実施例１の結合手段１３と同様、両端部１２ｄ、１２ｄが複数の貫通孔１０ａ、１０ａを通った係止部材１２を本体１０に結合させるもので、例えば、両端部１２ｄ、１２ｄの近傍に形成した雄ねじ１３ａ、１３ａに螺合するナット１３ｃ、１３ｃで締め付け結合させている。なお、１３ｂ、１３ｂは、ワッシャである。
なお、図８及び図１７に示すように、係止部材１２と当接部材１１とにより前側腕木４’を挟持状態時、前側支柱当接部材１１が前側支柱３’に当接している（図１５及び図１７参照）。
【００２９】
また、図７に示す１５は側方ストッパー部１５で、側方ストッパー部１５は、本体１０に取り付けられ、図８、図１４及び図１５に示すように、後側腕木４”を超えて設けられると共に、パレット２の側方への移動をパレット２に当接して阻止するものである（図１０参照）。
この側方ストッパー部１５は傾斜面１５Ａを有し、該傾斜面１５Ａは前側腕木４’と後側腕木４”に支持されたパレット２に近づくように傾斜している（図１２及び図１３参照）。
そのため、図１２及び図１３に示すように、パレット２を前側腕木４’と後側腕木４”に設置する際、傾斜面１５Ａにパレット２が当たると、パレット２は傾斜面１５Ａに案内されて、前側腕木４’と後側腕木４”にスムーズに設置することができるようになっている。
また、側方ストッパー部１５の下面に後側腕木４”に係脱可能に装着される後側腕木位置決め用脚部１５Ｂが設けられ、後側腕木位置決め用脚部１５Ｂは、後側腕木４”の長手方向に互いに平行な面１５ｂ１、１５ｂ２で形成されている。
これは、パレット落下防止用ストッパー体Ｓを前面（パレット受け入れ側）Ｆから、容易に装着するためである。
【００３０】
また、図７に示す１６は背面ストッパー部で、背面ストッパー部１６は、側方ストッパー部１５の後側腕木４”を超えた部位に取り付けられ、ストッパー部１０ｂと対向し、パレット２の背面への移動をパレット２に当接して阻止するものである（図８及び図９参照）。
【００３１】
従って、上述したパレット落下防止用ストッパー体Ｓによれば、パレット落下防止用ストッパー体を筋交いの位置により支柱に取り付けられない場合、係止部材１２と当接部材１１で前側腕木４’を挟持して前側腕木４’に取り付けることができ、しかも、１個のパレット落下防止用ストッパー体Ｓにより、パレット２の前面（パレット受け入れ側）Ｆへの移動をストッパー部１０ｂにより、パレット２の側方への移動を側方ストッパー部１５により、パレット２の背面への移動を背面ストッパー部１６により、それぞれ阻止することができる。    
【００３２】
なお、実施例２（図６乃至図１７）においては、背面ストッパー部１６を設けたが、場合により、省略することもできる。
省略した場合、１個のパレット落下防止用ストッパー体Ｓにより、パレット２の前面への移動をストッパー部１０ｂにより、パレット２の側方への移動を側方ストッパー部１５により、それぞれ阻止することができる。  
【符号の説明】
【００３３】
Ｓ      パレット落下防止用ストッパー体
Ｆ      前面
２      パレット
３      支柱
４      腕木
１０    本体
１０ａ  貫通孔
１１    当接部材
１２    係止部材
１２ａ  第１の直線部
１２ｂ  第２の直線部
１２ｃ  接続部
１２ｄ  両端部
【図１】
0005892654.tif 000002
【図２】
0005892654.tif 000003
【図３】
0005892654.tif 000004
【図４】
0005892654.tif 000005
【図５】
0005892654.tif 000006
【図６】
0005892654.tif 000007
【図７】
0005892654.tif 000008
【図８】
0005892654.tif 000009
【図９】
0005892654.tif 000010
【図１０】
0005892654.tif 000011
【図１１】
0005892654.tif 000012
【図１２】
0005892654.tif 000013
【図１３】
0005892654.tif 000014
【図１４】
0005892654.tif 000015
【図１５】
0005892654.tif 000016
【図１６】
0005892654.tif 000017
【図１７】
0005892654.tif 000018